(57)【要約】      （修正有）【課題】光ディスクに対してデータ記録を実施するために必要となる記録用設定情報を必要なときに外部から取得できるようにする。【解決手段】光ディスク記録再生装置３２による光ディスク７に対するデータ記録の特性に関係する評価指標を測定する測定ステップと、測定された評価指標が光ディスク記録再生装置３２におけるデータ記録において用いられる記録用設定情報を更新すべき状態であるか判断する判断ステップと、評価指標が記録用設定情報を更新すべき状態であると判断された場合には、光ディスク記録再生装置３２の外部に保持されており且つ少なくとも光ディスク記録再生装置３２の装置ＩＤと光ディスク７のメディアＩＤとに対応する記録用設定情報を取得する取得ステップと、取得された記録用設定情報を、光ディスク記録再生装置３２に設定するステップとを実行する。【選択図】図１
2010061786.tif 000002
【特許請求の範囲】
【請求項１】
光ディスク記録再生装置のＩＤと、光ディスクのメディアＩＤとを取得するステップと、前記光ディスク記録再生装置を用い、前記光ディスクに対して、テスト記録を実施することなく、レーザ光を照射して、反射光を測定し前記反射光の測定結果から評価指標を算出するステップと、前記評価指標に基づいて前記光ディスク記録再生装置におけるデータ記録において用いられる記録用設定情報を更新すべき状態であるか判断する判断ステップと、前記評価指標に基づいて前記記録用設定情報を更新すべき状態であると判断された場合には、前記記録用設定情報を、前記光ディスク記録再生装置の外部に保持されており且つ少なくとも前記光ディスク記録再生装置の装置ＩＤと前記光ディスクのメディアＩＤと前記評価指標とに対応する新たな記録用設定情報に更新する更新ステップと、を含む記録用設定情報設定方法。
【請求項２】
光ディスク記録再生装置のＩＤと、光ディスクのメディアＩＤとを取得するステップと、前記光ディスクが挿入されている前記光ディスク記録再生装置における評価指標としての温度を測定するステップと、前記評価指標に基づいて前記光ディスク記録再生装置におけるデータ記録において用いられる記録用設定情報を更新すべき状態であるか判断する判断ステップと、前記評価指標に基づいて前記記録用設定情報を更新すべき状態であると判断された場合には、前記記録用設定情報を、前記光ディスク記録再生装置の外部に保持されており且つ少なくとも前記光ディスク記録再生装置の装置ＩＤと前記光ディスクのメディアＩＤと前記評価指標とに対応する新たな記録用設定情報に更新する更新ステップと、を含む記録用設定情報設定方法。
【請求項３】
前記判断ステップが、前記評価指標が、予め定められた許容範囲外であるか判断するステップを含む請求項１〜２のいずれかに記載の記録用設定情報設定方法。
【請求項４】
前記許容範囲を規定するデータが、前記光ディスク記録再生装置の記憶装置、前記光ディスク記録再生装置に接続されているコンピュータの記憶装置又は前記光ディスクから読み出される請求項３記載の記録用設定情報設定方法。
【請求項５】
前記更新ステップが、複数種類の記録用設定情報を保持するサーバにアクセスし、当該サーバから少なくとも前記光ディスク記録再生装置の装置ＩＤと前記光ディスクのメディアＩＤと前記評価指標とに対応する新たな記録用設定情報をダウンロードするステップを含む請求項１〜２のいずれかに記載の記録用設定情報設定方法。
【請求項６】
請求項１〜５のいずれか記載の記録用設定情報設定方法をコンピュータに実行させるためのプログラム。
【請求項７】
請求項１〜５のいずれか記載の記録用設定情報設定方法を用いて記録用設定情報を更新する記録再生装置。 
【発明の詳細な説明】
【技術分野】
【０００１】
本発明は、光ディスクに対するデータ記録において用いられる記録用設定情報の取得及び設定技術に関する。
【背景技術】
【０００２】
例えば、特開２００３−２２８８３６号公報には、データを書き込み可能な光学的記録媒体のライトストラテジを指定する情報を外部より取得し、取得した当該情報が指定するライトストラテジに従って、当該光学的記録媒体へとデータを書き込むという技術が開示されている。  
【０００３】
また、特開２００５−１２２８４０号公報には、個々の記録媒体の特性に応じて情報の再生や記録を行えるようにするための技術が開示されている。具体的には、情報処理装置は、個体情報記録エリアを有するミニディスクからユニークＩＤを取得する。個々のミニディスクの特性情報がネットワークサーバで管理される。情報処理装置はユニークＩＤで特定されるミニディスクに対応する特性情報をネットワークサーバから取得し、特性情報に応じてサーボ特性を最適化して情報の記録や再生を行う。
【先行技術文献】
【特許文献】
【０００４】
【特許文献１】特開２００３−２２８８３６号公報
【特許文献２】特開２００５−１２２８４０号公報
【発明の開示】
【発明が解決しようとする課題】
【０００５】
上で述べた従来技術では、単純に外部から光ディスクについてのデータを取得するということだけが開示されており、光ディスク記録再生装置及び光ディスクの組み合わせにおいて適切なデータを取得するようにはなっていない。また、実際にストラテジデータを更新しなければならないのかについては適切な判断を行っているとは言えない。  
【０００６】
従って、本発明の目的は、光ディスクに対してデータ記録を実施するために必要となる記録用設定情報を必要なときに外部から取得できるようにするための技術を提供することである。  
【０００７】
さらに、本発明の他の目的は、光ディスクにデータ記録を実施するために必要となる記録用設定情報を効率的に取得して設定するための技術を提供することである。
【課題を解決するための手段】
【０００８】
本発明に係る記録用設定情報設定方法は、光ディスク記録再生装置のＩＤと、光ディスクのメディアＩＤとを取得するステップと、前記光ディスク記録再生装置を用い、前記光ディスクに対して、テスト記録を実施することなく、レーザ光を照射して、反射光を測定し前記反射光の測定結果から評価指標を算出するステップと、前記評価指標に基づいて前記光ディスク記録再生装置におけるデータ記録において用いられる記録用設定情報を更新すべき状態であるか判断する判断ステップと、前記評価指標に基づいて前記記録用設定情報を更新すべき状態であると判断された場合には、前記記録用設定情報を、前記光ディスク記録再生装置の外部に保持されており且つ少なくとも前記光ディスク記録再生装置の装置ＩＤと前記光ディスクのメディアＩＤと前記評価指標とに対応する新たな記録用設定情報に更新する更新ステップと、を含む。  
【０００９】
このようなステップを実施することによって、適切に記録用設定情報の更新時期を判断することができ、効率的な更新処理を実施することができるようになる。また、テスト記録を省略することによって簡易的に且つ迅速に測定を行うことができるようになる。  
【００１０】
本発明に係る記録用設定情報設定方法は、光ディスク記録再生装置のＩＤと、光ディスクのメディアＩＤとを取得するステップと、前記光ディスクが挿入されている前記光ディスク記録再生装置における評価指標としての温度を測定するステップと、前記評価指標に基づいて前記光ディスク記録再生装置におけるデータ記録において用いられる記録用設定情報を更新すべき状態であるか判断する判断ステップと、前記評価指標に基づいて前記記録用設定情報を更新すべき状態であると判断された場合には、前記記録用設定情報を、前記光ディスク記録再生装置の外部に保持されており且つ少なくとも前記光ディスク記録再生装置の装置ＩＤと前記光ディスクのメディアＩＤと前記評価指標とに対応する新たな記録用設定情報に更新する更新ステップと、を含む。  
【００１１】
このようなステップを実施することによって、適切に記録用設定情報の更新を判断することができ、効率的な更新処理を実施することができるようになる。  
【００１２】
さらに、上で述べた判断ステップが、評価指標が、予め定められた許容範囲外であるか判断するステップを含むようにしてもよい。許容範囲の定義については、様々な態様が可能である。このような判断を行うことによって、許容範囲内であれば、現在保持している記録用設定情報を用いて迅速にデータ記録を行うことができる。  
【００１３】
なお、上記許容範囲を規定するデータが、光ディスク記録再生装置の記憶装置、光ディスク記録再生装置に接続されているコンピュータの記憶装置又は光ディスクから読み出されるようにしてもよい。光ディスク記録再生装置、データ書込プログラム、光ディスクのいずれかに付随するような形で許容範囲を規定するデータが保持されるものである。  
【００１４】
また、上で述べた取得ステップが、複数種類の記録用設定情報を保持するサーバにアクセスし、当該サーバから少なくとも光ディスク記録再生装置の装置ＩＤと光ディスクのメディアＩＤとに対応する記録用設定情報をダウンロードするステップを含むようにしてもよい。このようにサーバに記録用設定情報を保持することによって、最新の記録用設定情報を取得できるようになる。  
【００１５】
一方、上で述べた取得ステップが、複数種類の記録用設定情報を保持する記憶装置を有し且つ光ディスク記録再生装置に接続されているコンピュータの記憶装置から、少なくとも光ディスク記録再生装置の装置ＩＤと光ディスクのメディアＩＤとに対応する記録用設定情報を読み出すステップを含むようにしてもよい。ネットワークに接続しないような場合にも、例えばデータ書込プログラムに付随してインストールされる記録用設定情報を活用することができるようになる。  
【００１６】
なお、前記取得ステップにおいては、評価指標又は評価指標の基準値からの乖離度にさらに対応する記録用設定情報を取得するようにしてもよい。よりデータ記録特性に応じた記録用設定情報を設定することができるようになる。  
【００１７】
なお、本発明の記録用設定情報設定方法をコンピュータに実行させるためのプログラムを作成することができ、当該プログラムは、例えばフレキシブル・ディスク、ＣＤ−ＲＯＭなどの光ディスク、光磁気ディスク、半導体メモリ、ハードディスク等の記憶媒体又は記憶装置に格納される。また、ネットワークを介してディジタル信号にて頒布される場合もある。なお、処理途中のデータについては、メイン・メモリ等の記憶装置に一時保管される。
【発明の効果】
【００１８】
本発明によれば、光ディスクに対してデータ記録を実施するために必要となる記録用設定情報を必要なときに外部から取得でき、光ディスクにデータ記録を実施するために必要となる記録用設定情報を効率的に取得して設定することができるようになる。
【図面の簡単な説明】
【００１９】
【図１】本発明の第１の実施の形態における機能ブロック図である。
【図２】ストラテジデータ格納部におけるデータ構造を示す図である。
【図３】マルチパルス形式におけるパラメータを説明するための図である。
【図４】ノンマルチパルス形式におけるパラメータを説明するための図である。
【図５】ｄＴｔｏｐというパラメータについてのストラテジデータの保持方式を示す図である。
【図６】ＵＲＬ管理ファイルに格納されるデータの一例を示す図である。
【図７】本発明の第１の実施の形態における処理フローを示す図である。
【図８】本発明の第１の実施の形態における測定処理の処理フローを示す図である。
【図９】本発明の第１の実施の形態における処理フローを示す図である。
【図１０】本発明の第１の実施の形態における処理フローを示す図である。
【図１１】本発明の第１の実施の形態における処理フローを示す図である。
【図１２】本発明の第２の実施の形態における測定処理の処理フローを示す図である。
【図１３】本発明の第３の実施の形態における機能ブロック図である。
【図１４】本発明の第３の実施の形態における処理フローを示す図である。
【図１５】アクセス履歴管理ファイルに格納されるデータの一例を示す図である。
【図１６】本発明の第３の実施の形態における処理フローを示す図である。
【図１７】ストラテジデータ格納部におけるデータ構造を示す図である。
【図１８】メディアＩＤ管理ファイルに格納されるデータの一例を示す図である。
【図１９】アクセス履歴管理ファイルに格納されるデータの一例を示す図である。
【図２０】本発明の第４の実施の形態における機能ブロック図である。
【図２１】データ記録履歴管理ファイルに格納されるデータの一例を示す図である。
【図２２】本発明の第４の実施の形態における処理フローを示す図である。
【図２３】本発明の第４の実施の形態における処理フローを示す図である。
【図２４】本発明の第５の実施の形態における処理フローを示す図である。
【図２５】本発明の第５の実施の形態における処理フローを示す図である。
【図２６】本発明の第６の実施の形態における処理フローを示す図である。
【図２７】本発明の第６の実施の形態における処理フローを示す図である。
【図２８】本発明の第７の実施の形態における機能ブロック図である。
【図２９】本発明の第７の実施の形態における処理フローを示す図である。
【図３０】本発明の第８の実施の形態における機能ブロック図である。
【図３１】本発明の第８の実施の形態における処理フローを示す図である。
【図３２】本発明の第８の実施の形態における処理フローを示す図である。
【図３３】コンピュータの機能ブロック図である。
【発明を実施するための最良の形態】
【００２０】
［実施の形態１］  図１に第１の実施の形態に係るシステム概要図を示す。例えばインターネットであるネットワーク１には、１又は複数のパーソナルコンピュータ３（ＰＣ：Personal Computer）と、各種ストラテジデータを格納するストラテジデータ格納部５１を管理する１又は複数のサーバ５とが接続されている。ＰＣ３は、デスクトップ型であってもよいし、ノートブック型であってもよい。ＰＣ３は、ＰＣ本体３１と光ディスク記録再生装置である光ディスクドライブ３２とを有する。光ディスクドライブ３２は、ＰＣ本体３１と一体化されていてもよいし、ＵＳＢ（Universal Serial Bus）などで外付けされるようになっていてもよい。また、ＰＣ３は、常時ネットワーク１に接続していても良いし、必要な時に一時的にネットワーク１に接続するものであってもよい。  
【００２１】
ＰＣ本体３１は、本実施の形態の主要部であるデータ書込部３１１と、ＵＲＬ（Uniform Resource Locator）管理ファイル３１３と、基準値データファイル３１５とを有する。データ書込部３１１は、本実施の形態に係るデータ書込プログラムをＰＣ本体３１によって実行することによって実現される。また、データ書込部３１１は、記録用設定情報取得設定部３１１１を含む。  
【００２２】
光ディスクドライブ３２は、データ記録機能及びデータ再生機能などの主要機能の他に、ストラテジデータを外部から取得するか否かを判断するための材料となる測定を実施する測定処理部３２１と、データ記録機能で用いられる記録用設定情報を格納する記録用設定情報格納部３２３と、ＰＣ本体３１のデータ書込部３１１における記録用設定情報取得設定部３１１１からの指示に応じて記録用設定情報格納部３２３に記録用設定情報を格納する処理を実施する記録用設定情報書込部３２２とを有する。なお、場合によっては、光ディスクドライブ３２は、基準値データ格納部３２４を有する場合もある。また、基準値データについては、光ディスク７の基準値データ格納領域７１に格納されており、光ディスクドライブ３２によって読み出される場合もある。  
【００２３】
図２に、サーバ５に管理されるストラテジデータ格納部５１に格納されるストラテジデータの管理状態を模式的に示す。ストラテジデータは、ドライブＩＤとメディアＩＤと記録速度と以下で説明する測定結果（例えば測定結果そのもの又は基準値と測定結果との差又は乖離度など）との各組み合わせについて、必要となる複数のパラメータ（図２の例ではｄＴｔｏｐのみを示す）を含む。パラメータは、図３に示すようなマルチパルス（Multi-Pulse）形式又は図４に示すようなノンマルチパルス（Non-Multi-Pulse）形式のいずれかにおけるパラメータである。例えば、記録速度が低い場合にはマルチパルス形式を採用し、記録速度が高い場合にはノンマルチパルス形式を採用するか、全ての記録速度についてノンマルチパルス形式を採用する。マルチパルス形式の場合には、図３に示すように、ｄＴｔｏｐ、Ｔｔｏｐ、Ｔｍｐ、Ｔｌｐ、ｄＴｓなどを含む。同様に、ノンマルチパル形式の場合には、ｄＴｔｏｐ、ＬＤＨ、ＴＢＳＴ、ｄＴｌａｓｔ、ｄＴｓ、Ｄｕｔｙなどを含む。  
【００２４】
さらに、図５で示すように、各パラメータ（一部のみの場合もある）について、記録するマーク長と先行するスペース長との組み合わせで、設定値を保持することが好ましい。図５は、ｄＴｔｏｐの場合を示しており、マーク２Ｔから６Ｔまでのそれぞれについて、先行するスペース長が２Ｔから５Ｔまでの各々に設定値が登録されている。なお、符号長については、光ディスクの規格に応じて必要な符号長が選択される。  
【００２５】
また、図６に、ＵＲＬ管理ファイル３１３に格納されるデータの一例を示す。図６の例では、メディアＩＤ毎に、サーバ５のＵＲＬが登録されている。但し、サーバ５がネットワーク１に１台のみ用意される場合には、サーバ５のＵＲＬのみが登録されている。なお、例えば光ディスク製造メーカ毎にサーバが用意される場合もある。  
【００２６】
また、基準値データファイル３１５には、以下の説明において述べる測定結果等に対する基準値、許容範囲の閾値、又は基準値並びに当該基準値からの許容範囲を規定する上限値及び下限値が格納される。  
【００２７】
次に、図７乃至図１１を用いて図１に示したシステムの動作を説明する。まず、例えばＰＣ３のユーザの指示に応じて、データ書込部３１１が起動される（ステップＳ１）。また、ユーザは、光ディスクドライブ３２に、今回データ記録を行う光ディスクを挿入するなどして、光ディスクドライブ３２は当該光ディスクをスピンドルモータ等にセットする（ステップＳ３）。  
【００２８】
そして、ＰＣ本体３１のデータ書込部３１１は、ドライブＩＤ要求を光ディスクドライブ３２に出力する（ステップＳ５）。これに対して、光ディスクドライブ３２は、データ書込部３１１からドライブＩＤ要求を受信し（ステップＳ７）、例えば光ディスクドライブ３２のメモリに格納されているドライブＩＤ（装置ＩＤ）を読み出して、データ書込部３１１に出力する（ステップＳ９）。データ書込部３１１は、光ディスクドライブ３２からドライブＩＤを受信し、例えばメインメモリに格納する（ステップＳ１１）。なお、ＯＳ（Operating System）等によって既にＰＣ３の構成データとして取得されているデータが存在する場合には、ステップＳ５乃至Ｓ１１の代わりに、データ書込部３１１は、当該データを用いるようにしても良い。  
【００２９】
さらに、データ書込部３１１は、光ディスクドライブ３２にメディア情報取得要求を出力する（ステップＳ１３）。光ディスクドライブ３２は、メディア情報取得要求を受信し（ステップＳ１５）、ステップＳ３でセットされた光ディスクからメディアＩＤ等のメディア情報を読み出し、データ書込部３１１に出力する（ステップＳ１７）。データ書込部３１１は、光ディスクドライブ３２からメディア情報を受信し、例えばメインメモリに格納する（ステップＳ１９）。メディア情報については、サーバ５からストラテジデータを取得するような処理を実施することを表す専用のコードが含まれる場合もある。さらに、本実施の形態では、直接は用いられないが、光ディスクの使用履歴を記録するため、メディアＩＤを例えば使用履歴管理ファイルに登録するようにしても良い。  
【００３０】
また、データ書込部３１１は、ユーザに対して記録条件等（記録速度、サーバ５からストラテジデータを取得するような処理を実施するか否かの指示（実施、不実施、自動的に実施などの設定を含む）など）の入力を促し、ユーザから記録条件等の入力を受け付ける（ステップＳ２１）。  
【００３１】
そして、データ書込部３１１は、サーバ５からストラテジデータを取得するか判断する（ステップＳ２３）。例えば、ステップＳ２１でユーザから指示された場合、ステップＳ１９で上で述べたような専用のコードを受信した場合、ＰＣ３がネットワーク１に接続していることを確認できた場合などに、サーバ５からストラテジデータを取得すると判断する。それ以外の場合には、端子Ａを介して図１１の処理に移行する。  
【００３２】
サーバ５からストラテジデータを取得する場合には、データ書込部３１１は、測定指示を光ディスクドライブ３２の測定処理部３２１に対して出力する（ステップＳ２５）。光ディスクドライブ３２の測定処理部３２１は、データ書込部３１１から測定指示を受信し（ステップＳ２７）、測定処理を実施する（ステップＳ２９）。本実施の形態に係る測定処理については、図８を用いて説明する。  
【００３３】
本実施の形態では、単に光ディスク７上の１箇所又は複数箇所にレーザ光を照射してその戻り光レベルを測定するものである。従って、測定処理部３２１は、レーザドライバ（図示せず）等に再生条件を設定し（ステップＳ４１）、再生レーザ光を光ディスク７に対して照射し、光ディスク７からの反射光（戻り光）レベルを検出する（ステップＳ４３）。戻り光レベルは、例えば、ｍＷ単位で測定するか、反射率（％）として測定する。  
【００３４】
このように簡易的に反射光レベルを検出するだけにすれば、測定時間を短くすることができるため、ストラテジデータを更新する必要があるか否かを早期に判断することができる。  
【００３５】
図７の説明に戻って、測定処理部３２１は、測定結果等（例えば、基準値データ格納部３２４が設けられている場合や光ディスク７の基準値データ格納領域７１から基準値データを読み取った場合には基準値データを含む場合がある）をＰＣ本体３１のデータ書込部３１１に出力する（ステップＳ３１）。データ書込部３１１の記録用設定情報取得設定部３１１１は、光ディスクドライブ３２から測定結果等を受信し、例えばメインメモリ等の記憶装置に格納する（ステップＳ３３）。処理は端子Ｂを介して図９の処理に移行する。  
【００３６】
図９の処理の説明に移行して、記録用設定情報取得設定部３１１１は、基準値データを例えば基準値データファイル３１５から読み出す（ステップＳ５１）。光ディスクドライブ３２から基準値データを受信した場合には、ステップＳ５１は省略される。そして、基準値データと測定結果とからストラテジデータの更新の必要性を判断する（ステップＳ５３）。例えば、基準値と当該基準値からの許容範囲を規定する上限値（例えば＋α％又は［ｍＷ］）及び下限値（例えば−β％又は［ｍＷ］）とを用いて、測定結果が許容範囲内に含まれているかを判断する。基準値が無く、単に許容範囲を規定する上限値及び下限値を基に、測定結果が許容範囲内に含まれているかを判断するようにしても良い。また、例えば許容範囲を規定すると共に、許容範囲外についても範囲を規定して、測定結果が、例えば許容範囲外の第１範囲や第２範囲のいずれに属するかを判断するようにしても良い。さらに、α又はβのいずれかが０の場合もある。  
【００３７】
そして、測定結果が、許容範囲内であってストラテジデータを更新する必要がない場合には（ステップＳ５５：Ｎｏルート）、端子Ａを介して図１１の処理に移行する。一方、測定結果が許容範囲外となってストラテジデータの更新が必要である場合には（ステップＳ５５：Ｙｅｓルート）、記録用設定情報取得設定部３１１１は、ストラテジデータを保持するサーバ５のＵＲＬを、例えばＵＲＬ管理ファイル３１３から読み出す（ステップＳ５７）。なお、サーバ５のＵＲＬは、ＰＣ本体３１で管理する場合もあれば、光ディスクドライブ３２のメモリに格納されており、例えばメディア情報と共に光ディスクドライブ３２から受信する場合もある。  
【００３８】
その後、記録用設定情報取得設定部３１１１は、ステップＳ１１で取得したドライブＩＤ、ステップＳ１９で取得したメディアＩＤ、ステップＳ２１で取得した記録速度及びステップＳ３３で取得した測定結果（又は基準値からの差又は乖離度、許容範囲外において測定結果の属する範囲（例えば上限値を超えているか又は下限値を下回っているのか等））を含むストラテジデータ要求を、ネットワーク１を介してステップＳ５７で取得したＵＲＬ宛（サーバ５）に送信する（ステップＳ５９）。なお、サーバ５の利用が会員制などである場合には、ログインのための処理を実施した後にステップＳ５９を実施する。  
【００３９】
サーバ５は、ＰＣ３からドライブＩＤ、メディアＩＤ、記録速度及び測定結果を含むストラテジ要求を受信すると（ステップＳ６１）、受信したドライブＩＤ、メディアＩＤ、記録速度及び測定結果でストラテジデータ格納部５１を検索して該当する全てのストラテジデータを読み出し、要求元のＰＣ３へ送信する（ステップＳ６３）。ＰＣ３におけるデータ書込部３１１の記録用設定情報取得設定部３１１１は、サーバ５から、該当するストラテジデータを受信し、例えばハードディスクドライブなどに一旦格納する（ステップＳ６５）。処理は端子Ｃを介して図１０の処理に移行する。  
【００４０】
図１０の処理の説明に移行して、記録用設定情報取得設定部３１１１は、サーバ５から受信したストラテジデータを含むストラテジ設定コマンドを光ディスクドライブ３２に出力する（ステップＳ６９）。光ディスクドライブ３２の記録用設定情報書込部３２２は、ストラテジデータを含むストラテジ設定コマンドを受信し（ステップＳ７１）、ストラテジデータを記録用設定情報格納部３２３に上書き記録する（ステップＳ７３）。なお、従前の（例えばデフォルトの）ストラテジデータを残しておいて、受け取ったストラテジデータを追記するようにしてもよい。  
【００４１】
その後、光ディスクドライブ３２は、ステップＳ１７で読み出したメディアＩＤに対応するストラテジデータを記録用設定情報格納部３２３から読み出し、今回使用するストラテジデータとして設定する（ステップＳ７５）。そして、通常テスト記録（例えば、ＯＰＣ（Optimum Power Control））を実施し、最適記録パワーを特定する（ステップＳ７７）。この処理については周知の手法を用いることができるので、詳細な説明については省略する。そしてステップＳ７７で特定された最適記録パワーを、今回使用する記録パワーとして設定する（ステップＳ７９）。これによってデータ記録を実施する準備が完了した。  
【００４２】
よって、光ディスクドライブ３２の記録用設定情報書込部３２２は、記録パワーの設定完了をＰＣ本体３１のデータ書込部３１１に通知する（ステップＳ８１）。データ書込部３１１は、
光ディスクドライブ３２から記録パワーの設定完了通知を受信すると（ステップＳ８３）、記録すべきデータを光ディスクドライブ３２に出力する（ステップＳ８５）。光ディスクドライブ３２は、ＰＣ本体３１から記録データを受信し、上で行われた設定に従ってデータ記録を実施する（ステップＳ８７）。  
【００４３】
一方、サーバ５からストラテジデータを取得しない場合の処理、すなわち端子Ａ以降の処理について図１１を用いて説明する。この場合には、データ書込部３１１は、光ディスクドライブ３２に記録準備を指示する（ステップＳ９１）。光ディスクドライブ３２は、ＰＣ本体３１から記録準備指示を受信すると（ステップＳ９３）、ステップＳ１７で読み出したメディアＩＤに対応するストラテジデータを記録用設定情報格納部３２３から読み出し、今回使用するストラテジデータとして設定する（ステップＳ９５）。そして、通常テスト記録（例えば、ＯＰＣ）を実施し、最適記録パワーを特定する（ステップＳ９７）。この処理については周知の手法を用いることができるので、詳細な説明については省略する。そしてステップＳ９７で特定された最適記録パワーを、今回使用する記録パワーとして設定する（ステップＳ９９）。これによってデータ記録を実施する準備が完了した。  
【００４４】
よって、光ディスクドライブ３２は、記録パワーの設定完了をＰＣ本体３１のデータ書込部３１１に通知する（ステップＳ１０１）。データ書込部３１１は、光ディスクドライブ３２から記録パワーの設定完了通知を受信すると（ステップＳ１０３）、記録すべきデータを光ディスクドライブ３２に出力する（ステップＳ１０５）。光ディスクドライブ３２は、ＰＣ本体３１から記録データを受信し、上で行われた設定に従ってデータ記録を実施する（ステップＳ１０７）。  
【００４５】
このような処理を実施することによって、光ディスク７からの反射光のレベルが許容範囲外となっている場合、すなわち光ディスク７に対して光ディスクドライブ３２によって通常のストラテジデータに基づくデータ記録を行うと問題が発生し得るような組み合わせであることが分かった場合に、適切なストラテジデータを外部から取得することができ、適切なデータ記録を行うことができるようになる。特に、今回のデータ記録において不具合が生じる可能性が高いか否かを簡易に判断してからストラテジデータを取得するようにしているので、特に問題がない場合には早期にデータ記録を開始できる。  
【００４６】
なお、ストラテジデータについてサーバ５から取得する例を上では示したが、パワー制御情報を含む場合もある。このパワー制御情報には、ステップＳ７７で実施されるＯＰＣのＯＰＣ条件を含む場合がある。ＯＰＣ条件には、（１）テスト記録時における図３及び図４で示したＰｗ、Ｐｂｗ、Ｐｓ、Ｐｃ、Ｐｍについての設定値、（２）最適パワー判断基準値を含む場合がある。  
【００４７】
（１）の場合には、メインパワー（Ｐｗ）条件については、複数の設定値、又は１つの基準設定値と当該基準設定値に対する所定の変更条件が含まれる。また、メインパワー以外の条件については、例えばメインパワー（Ｐｗ）に対する所定の係数（εＰｂｗ、εＰｓ、εＰｃ、εＰｍ。例えば、Ｐｂｗ＝Ｐｗ×εＰｂｗで算出する。）が含まれる。なお、Ｐｂｗ＝Ｐｗ×εＰｂｗ＋αというような形で算出される場合には、オフセット値αを含むような場合もある。  
【００４８】
（２）の場合には、各メディアＩＤについて、ターゲットとなる値（ＤＶＤであれば、β値、Ｂｌｕ-ｒａｙの場合には、アシンメトリ値のターゲット値、又はメインパワー（Ｐｗ）に対する変調度カーブからの外挿条件パラメータ（κ、Ｐｉｎｄ、Ｍｉｎｄ、ρなど））を含む。  
【００４９】
また、パワー制御情報には、ＷＯＰＣ（Walking OPC：記録動作を一時停止し、記録パワー調整を行った後に記録を再開する方式）又はＲＯＰＣ（Running OPC：記録動作を止めることなく並行して記録パワー調整を行う方式）における（１）記録速度条件に応じた、測定値（β値、アシンメトリ値、電圧レベル値など）又は当該測定値とターゲット値との差分量に対応する記録パワー調整量（例えば記録パワー調整量テーブル又は導出式）、（２）記録速度条件に応じた記録パワー設定値（設定テーブル又は導出式）、（３）記録速度条件に応じた最適記録パワー基準値などを含む。  
【００５０】
さらに、上で述べた例では、ステップＳ１９で取得したメディアＩＤに対応するストラテジデータを取得するようにしていたが、例えばサーバ５にアクセスするついでに、これまでにデータ記録を行ったことがある光ディスク７又はデータ記録を行う頻度の高い光ディスク７のメディアＩＤに対応するストラテジデータを取得するようにしてもよい。  
【００５１】
さらに、上で述べた例では、反射光レベルを測定結果として処理を行う例を示したが、例えば反射光レベルに基づき特定される指標値（例えば光ディスク７の反り角、プッシュプル値、サーボエラー信号振幅など）をベースに判断するような処理に変更することも可能である。  
【００５２】
［実施の形態２］  第１の実施の形態においては、単に光ディスク７に対してレーザ光を照射してその反射光のレベルを測定するだけであったが、実際のデータ記録を行った結果ではないので実際のデータ記録における特性を必ずしも表すものではない可能性がある。そこで、本実施の形態では、ステップＳ２９における測定処理（図８）を、図１２の処理に変更することによって、より実際のデータ記録における特性に近い測定を行って、より適切なストラテジデータを取得するものとする。なお、システム構成自体は図１に示した第１の実施の形態のものと同様である。  
【００５３】
光ディスクドライブ３２の測定処理部３２１は、今回の測定のための記録条件をレーザドライバ等に設定し（ステップＳ１１１）、テスト記録を実施する（ステップＳ１１３）。通常であれば光ディスク７のテスト記録領域にデータ記録を実施するが、データ記録領域であってもよい。また、記録条件については、所定の１の記録パワーが設定されることになるが、より詳細な測定を行うために複数種類の記録パワーを設定して、各記録パワーについて測定を行うようにしても良い。  
【００５４】
その後、再生条件をレーザドライバ等に設定し（ステップＳ１１５）、再生条件に従ってレーザ光を照射することによって反射光（戻り光）レベルを測定する（ステップＳ１１７）。そして、反射光レベルを用いて所定の評価指標を測定結果として算出する（ステップＳ１１９）。  
【００５５】
所定の評価指標については、（１）アシンメトリ、（２）β値、（３）ＤＣジッタ、（４）エラー率、（５）変調度などが使用可能である。アシンメトリは、各メディア規格において用いられる変調方式において、短符号と長符号の非対称性を示す指標であり、記録状態を簡易的に評価する上で有効である。β値や変調度についても、再生信号の振幅レベルをベースに算出される周知の指標である。ＤＣジッタは、各メディア規格において用いられる変調方式について、各符号（マーク及びスペース）長のばらつき量を総合的に示す指標であり、記録状態を評価する上で有効である。エラー率も、再生信号の品位を表す指標である。その他、従来から用いられている他の指標であってもよい。  
【００５６】
このように算出された評価指標の値（基準値データ格納部３２４が設けられている場合には、基準値データを含む）は、測定結果としてデータ書込部３１１の記録用設定情報取得設定部３１１１に出力され、基準値データとの関係で許容範囲内であるか許容範囲外であるかを判断する。  
【００５７】
このようにすれば、第１の実施の形態より、より実態に即した測定結果を基にしてストラテジデータを取得すべきか否かを判断することができるようになる。  
【００５８】
［実施の形態３］  図１３に本実施の形態に係るシステム概要図を示す。例えばインターネットであるネットワーク１には、１又は複数のパーソナルコンピュータ３（ＰＣ：Personal Computer）と、各種ストラテジデータを格納するストラテジデータ格納部５１を管理する１又は複数のサーバ５とが接続されている。このような基本的な構成は第１の実施の形態と同様である。  
【００５９】
ＰＣ本体３１は、本実施の形態の主要部であるデータ書込部３１１と、ＵＲＬ（Uniform Resource Locator）管理ファイル３１３と、アクセス履歴管理ファイル３１７とを有する。場合によっては、メディアＩＤ管理ファイル３１８を有する場合もある。データ書込部３１１は、本実施の形態に係るデータ書込プログラムをＰＣ本体３１によって実行することによって実現される。また、データ書込部３１１は、記録用設定情報取得設定部３１１１を含む。  
【００６０】
光ディスクドライブ３２は、データ記録機能及びデータ再生機能などの主要機能の他に、データ記録機能で用いられる記録用設定情報を格納する記録用設定情報格納部３２３と、ＰＣ本体３１のデータ書込部３１１における記録用設定情報取得設定部３１１１からの指示に応じて記録用設定情報格納部３２３に記録用設定情報を格納する処理を実施する記録用設定情報書込部３２２とを有する。  
【００６１】
次に、図１４乃至図１６を用いて図１３に示したシステムの動作を説明する。まず、例えばＰＣ３のユーザの指示に応じて、データ書込部３１１が起動される（ステップＳ１２１）。また、ユーザは、光ディスクドライブ３２に、今回データ記録を行う光ディスクを挿入するなどして、光ディスクドライブ３２は当該光ディスクをスピンドルモータ等にセットする（ステップＳ１２３）。  
【００６２】
そして、ＰＣ本体３１のデータ書込部３１１は、ドライブＩＤ要求を光ディスクドライブ３２に出力する（ステップＳ１２５）。これに対して、光ディスクドライブ３２は、データ書込部３１１からドライブＩＤ要求を受信し（ステップＳ１２７）、例えば光ディスクドライブ３２のメモリに格納されているドライブＩＤ（装置ＩＤ）を読み出して、データ書込部３１１に出力する（ステップＳ１２９）。データ書込部３１１は、光ディスクドライブ３２からドライブＩＤを受信し、例えばメインメモリに格納する（ステップＳ１３１）。なお、ＯＳ（Operating System）等によって既にＰＣ３の構成データとして取得されているデータが存在する場合には、ステップＳ１２５乃至Ｓ１３１の代わりに、データ書込部３１１は、当該データを用いるようにしても良い。  
【００６３】
さらに、データ書込部３１１は、光ディスクドライブ３２にメディア情報取得要求を出力する（ステップＳ１３３）。光ディスクドライブ３２は、メディア情報取得要求を受信し（ステップＳ１３５）、ステップＳ１２３でセットされた光ディスクからメディアＩＤ等のメディア情報を読み出し、データ書込部３１１に出力する（ステップＳ１３７）。データ書込部３１１は、光ディスクドライブ３２からメディア情報を受信し、例えばメインメモリに格納する（ステップＳ１３９）。メディア情報については、サーバ５からストラテジデータを取得するような処理を実施することを表す専用のコードが含まれる場合もある。  
【００６４】
また、データ書込部３１１は、ユーザに対して記録条件等（記録速度、サーバ５からストラテジデータを取得するような処理を実施するか否かの指示（実施、不実施、自動的に実施などの設定を含む）など）の入力を促し、ユーザから記録条件等の入力を受け付ける（ステップＳ１４１）。  
【００６５】
そして、データ書込部３１１は、サーバ５からストラテジデータを取得するか判断する（ステップＳ１４３）。例えば、ステップＳ１４１でユーザから指示された場合、ステップＳ１３９で上で述べたような専用のコードを受信した場合、ＰＣ３がネットワーク１に接続していることを確認できた場合などに、サーバ５からストラテジデータを取得すると判断する。それ以外の場合には、端子Ａを介して図１１の処理に移行する。  
【００６６】
サーバ５からストラテジデータを取得する場合には、データ書込部３１１の記録用設定情報取得設定部３１１１は、アクセス履歴管理ファイル３１７から前回アク
セス日時を読み出す（ステップＳ１４５）。アクセス履歴管理ファイル３１７には、例えば図１５に示すようなデータが格納されている。すなわち、アクセス日時の履歴データが蓄積されており、最も最近登録されたアクセス日時（図１５の例では２００７０５２４１６４０）が読み出される。処理は端子Ｄを介して図１６の処理に移行する。  
【００６７】
図１６の処理の説明に移行して、記録用設定情報取得設定部３１１１は、現在時刻を例えばシステムの時計から取得して、前回アクセス日時から所定時間以上経過したか判断する（ステップＳ１４７）。前回アクセス日時から所定時間以上経過したわけではない場合には、今回はストラテジデータを新たに取得する必要はないとして端子Ａを介して図１１の処理に移行する。図１１以降の処理については説明を省略する。  
【００６８】
一方、前回アクセス日時から所定時間以上経過したと判断された場合には、記録用設定情報取得設定部３１１１は、ストラテジデータを保持するサーバ５のＵＲＬを、例えばＵＲＬ管理ファイル３１３から読み出す（ステップＳ１４９）。なお、サーバ５のＵＲＬは、ＰＣ本体３１で管理する場合もあれば、光ディスクドライブ３２のメモリに格納されており、例えばメディア情報と共に光ディスクドライブ３２から受信する場合もある。  
【００６９】
その後、記録用設定情報取得設定部３１１１は、ステップＳ１３１で取得したドライブＩＤ、ステップＳ１３９で取得したメディアＩＤ及びステップＳ１４１で取得した記録速度を含むストラテジデータ要求を、ネットワーク１を介してステップＳ１４９で取得したＵＲＬ宛（サーバ５）に送信する（ステップＳ１５１）。なお、サーバ５の利用が会員制などである場合には、ログインのための処理を実施した後にステップＳ１５１を実施する。  
【００７０】
サーバ５は、ＰＣ３からドライブＩＤ、メディアＩＤ及び記録速度を含むストラテジ要求を受信すると（ステップＳ１５３）、受信したドライブＩＤ、メディアＩＤ及び記録速度でストラテジデータ格納部５１を検索して該当する全てのストラテジデータを読み出し、要求元のＰＣ３へ送信する（ステップＳ１５５）。なお、本実施の形態においては、図１７に示すようなデータ構造にてストラテジデータを保持している。すなわち、ストラテジデータは、ドライブＩＤとメディアＩＤと記録速度との各組み合わせについて、必要となる複数のパラメータ（図１７の例ではｄＴｔｏｐのみを示す）を含む。ＰＣ３におけるデータ書込部３１１の記録用設定情報取得設定部３１１１は、サーバ５から、該当するストラテジデータを受信し、例えばハードディスクドライブなどに一旦格納する（ステップＳ１５７）。そして、今回のアクセス日時をアクセス履歴管理ファイル３１７に登録する（ステップＳ１５９）。処理は端子Ｃを介して図１０の処理に移行する。図１０以降の説明については省略する。  
【００７１】
なお、ステップＳ１５１では、ステップＳ１３９で取得したメディアＩＤだけではなく、例えばメディアＩＤ管理ファイル３１８に登録されており且つ過去に使用したことのある光ディスク７のメディアＩＤを併せて送信するようにする場合もある。また、メディアＩＤ管理ファイル３１８に図１８に示すようなデータを保持しておき、過去に使用したことのある光ディスク７のうち頻度の高いものを抽出するようにしても良い。図１８には、メディアＩＤ毎に、使用回数、前回使用日及び使用回数による順位が登録されており、上位５つのメディアＩＤを抽出するような処理を行うようにしても良い。なお、複数のメディアＩＤについてストラテジデータを取得する場合には、アクセス先のサーバ５が異なる場合があるので、ステップＳ１５１乃至Ｓ１５７については、それぞれのサーバに対して行うことになる。さらに、今回使用する光ディスク７のメディアＩＤ以外のメディアＩＤに対応するストラテジデータについては、光ディスクドライブ３２の記録用設定情報格納部３２３に書き込むようにしても良いし、一旦ＰＣ本体３１のＨＤＤに保持しておくようにしても良い。  
【００７２】
さらに、アクセス履歴管理ファイル３１７については、図１５に示すような簡易なものではなく、図１９に示すように、メディアＩＤ毎に前回アクセス日（又は日時）を管理するようにすれば、より適切なタイミングでサーバ５から最新の適切なストラテジデータを取得することができるようになる。  
【００７３】
このような処理を行うようにすれば、ある程度前回更新時から時間が経過して最新のストラテジデータが登録されている可能性が高い場合にサーバ５にアクセスするようになるため、無駄にサーバ５にアクセスすることが少なくなることが期待される。  
【００７４】
［実施の形態４］  図２０に本実施の形態に係るシステム概要図を示す。図１３に示した第３の実施の形態に係るシステム概要図との差は、アクセス履歴管理ファイル３１７の代わりにデータ記録履歴管理ファイル３１９を導入した点である。  
【００７５】
このデータ記録履歴管理ファイル３１９には、例えば図２１に示すようなデータ記録日時とその際のサーバ５へのアクセスの有無とが登録されるようになっている。  
【００７６】
次に、図２２及び図２３を用いて図２０に示したシステムの動作を説明する。まず、例えばＰＣ３のユーザの指示に応じて、データ書込部３１１が起動される（ステップＳ１６１）。また、ユーザは、光ディスクドライブ３２に、今回データ記録を行う光ディスクを挿入するなどして、光ディスクドライブ３２は当該光ディスクをスピンドルモータ等にセットする（ステップＳ１６３）。  
【００７７】
そして、ＰＣ本体３１のデータ書込部３１１は、ドライブＩＤ要求を光ディスクドライブ３２に出力する（ステップＳ１６５）。これに対して、光ディスクドライブ３２は、データ書込部３１１からドライブＩＤ要求を受信し（ステップＳ１６７）、例えば光ディスクドライブ３２のメモリに格納されているドライブＩＤ（装置ＩＤ）を読み出して、データ書込部３１１に出力する（ステップＳ１６９）。データ書込部３１１は、光ディスクドライブ３２からドライブＩＤを受信し、例えばメインメモリに格納する（ステップＳ１７１）。なお、ＯＳ（Operating System）等によって既にＰＣ３の構成データとして取得されているデータが存在する場合には、ステップＳ１６５乃至Ｓ１７１の代わりに、データ書込部３１１は、当該データを用いるようにしても良い。  
【００７８】
さらに、データ書込部３１１は、光ディスクドライブ３２にメディア情報取得要求を出力する（ステップＳ１７３）。光ディスクドライブ３２は、メディア情報取得要求を受信し（ステップＳ１７５）、ステップＳ１６３でセットされた光ディスクからメディアＩＤ等のメディア情報を読み出し、データ書込部３１１に出力する（ステップＳ１７７）。データ書込部３１１は、光ディスクドライブ３２からメディア情報を受信し、例えばメインメモリに格納する（ステップＳ１７９）。メディア情報については、サーバ５からストラテジデータを取得するような処理を実施することを表す専用のコードが含まれる場合もある。  
【００７９】
また、データ書込部３１１は、ユーザに対して記録条件等（記録速度、サーバ５からストラテジデータを取得するような処理を実施するか否かの指示（実施、不実施、自動的に実施などの設定を含む）など）の入力を促し、ユーザから記録条件等の入力を受け付ける（ステップＳ１８１）。  
【００８０】
そして、データ書込部３１１は、サーバ５からストラテジデータを取得するか判断する（ステップＳ１８３）。例えば、ステップＳ１８１でユーザから指示された場合、ステップＳ１７９で上で述べたような専用のコードを受信した場合、ＰＣ３がネットワーク１に接続していることを確認できた場合などに、サーバ５からストラテジデータを取得すると判断する。それ以外の場合には、端子Ａを介して図１１の処理に移行する。図１１の処理については説明を省略する。  
【００８１】
サーバ５からストラテジデータを取得する場合には、データ書込部３１１の記録用設定情報取得設定部３１１１は、データ記録履歴管理ファイル３１９からデータ記録履歴データを読み出す（ステップＳ１８５）。処理は端子Ｅを介して図２３の処理に移行する。  
【００８２】
図２３の処理の説明に移行して、記録用設定情報取得設定部３１１１は、ステップＳ１８５で取得されたデータ記録履歴データから、予め定められた条件（例えばデータ記録５回に１回サーバ５へアクセス。具体的には、過去最近４回のデータ記録においてサーバ５にアクセスしているか否かという条件。又は、１ヶ月以内のデータ記録５回に１回サーバ５へアクセス。具体的には、最低１ヶ月に１回であって、１ヶ月に複数回データ記録を行っている場合には５回に１回という条件。）を満たしているか判断する（ステップＳ１８７）。データ記録履歴データが条件を満たしていないと判断された場合には（ステップＳ１８７：Ｎｏルート）、今回のデータ記録をデータ記録履歴管理ファイル３１９に登録する（ステップＳ１８８）。そして、サーバ５にはアクセスしないということで、端子Ａを介して図１１の処理に移行する。図１１以降の処理については説明を省略する。  
【００８３】
一方、データ記録履歴データが条件を満たしていると判断された場合には（ステップＳ１８７：Ｙｅｓルート）、記録用設定情報取得設定部３１１１は、ストラテジデータを保持するサーバ５のＵＲＬを、例えばＵＲＬ管理ファイル３１３から読み出す（ステップＳ１８９）。なお、サーバ５のＵＲＬは、ＰＣ本体３１で管理する場合もあれば、光ディスクドライブ３２のメモリに格納されており、例えばメディア情報と共に光ディスクドライブ３２から受信する場合もある。  
【００８４】
その後、記録用設定情報取得設定部３１１１は、ステップＳ１７１で取得したドライブＩＤ、ステップＳ１７９で取得したメディアＩＤ及びステップＳ１８１で取得した記録速度を含むストラテジデータ要求を、ネットワーク１を介してステップＳ１８９で取得したＵＲＬ宛（サーバ５）に送信する（ステップＳ１９１）。なお、サーバ５の利用が会員制などである場合には、ログインのための処理を実施した後にステップＳ１９１を実施する。  
【００８５】
サーバ５は、ＰＣ３からドライブＩＤ、メディアＩＤ及び記録速度を含むストラテジ要求を受信すると（ステップＳ１９３）、受信したドライブＩＤ、メディアＩＤ及び記録速度でストラテジデータ格納部５１を検索して該当する全てのストラテジデータを読み出し、要求元のＰＣ３へ送信する（ステップＳ１９５）。なお、本実施の形態においては、図１７に示すようなデータ構造にてストラテジデータを保持している。ＰＣ３におけるデータ書込部３１１の記録用設定情報取得設定部３１１１は、サーバ５から、該当するストラテジデータを受信し、例えばハードディスクドライブなどに一旦格納する（ステップＳ１９７）。そして、今回のデータ記録日時及びサーバ５へのアクセス有をデータ記録履歴管理ファイル３１９に登録する（ステップＳ１９９）。処理は端子Ｃを介して図１０の処理に移行する。図１０以降の説明については省略する。  
【００８６】
このようにすれば、頻繁にサーバ５にアクセスすることを避け、適切なインターバルをもってサーバ５から最新のストラテジデータを取得することができるようになる。  
【００８７】
なお、第３の実施の形態と同様に、ステップＳ１７９で取得されたメディアＩＤだけではなく、これまでに使用したことのある光ディスク７のメディアＩＤ又は使用頻度の高い他の光ディスク７のメディアＩＤについてもストラテジデータを取得するようにしてもよい。  
【００８８】
［実施の形態５］  本実施の形態に係るシステム概要図は第１の実施の形態のシステム概要図（図１）と同様であるからここでは説明を省略する。但し、同じ参照符号でも異なる処理を実施する場合がある。  
【００８９】
本実施の形態に係る処理内容を図２４及び図２５を用いて図１に示したシステムの動作を説明する。まず、例えばＰＣ３のユーザの指示に応じて、データ書込部３１１が起動される（ステップＳ２０１
）。また、ユーザは、光ディスクドライブ３２に、今回データ記録を行う光ディスクを挿入するなどして、光ディスクドライブ３２は当該光ディスクをスピンドルモータ等にセットする（ステップＳ２０３）。  
【００９０】
そして、ＰＣ本体３１のデータ書込部３１１は、ドライブＩＤ要求を光ディスクドライブ３２に出力する（ステップＳ２０５）。これに対して、光ディスクドライブ３２は、データ書込部３１１からドライブＩＤ要求を受信し（ステップＳ２０７）、例えば光ディスクドライブ３２のメモリに格納されているドライブＩＤ（装置ＩＤ）を読み出して、データ書込部３１１に出力する（ステップＳ２０９）。データ書込部３１１は、光ディスクドライブ３２からドライブＩＤを受信し、例えばメインメモリに格納する（ステップＳ２１１）。なお、ＯＳ（Operating System）等によって既にＰＣ３の構成データとして取得されているデータが存在する場合には、ステップＳ２０５乃至Ｓ２１１の代わりに、データ書込部３１１は、当該データを用いるようにしても良い。  
【００９１】
さらに、データ書込部３１１は、光ディスクドライブ３２にメディア情報取得要求を出力する（ステップＳ２１３）。光ディスクドライブ３２は、メディア情報取得要求を受信し（ステップＳ２１５）、ステップＳ２０３でセットされた光ディスクからメディアＩＤ等のメディア情報を読み出し、データ書込部３１１に出力する（ステップＳ２１７）。データ書込部３１１は、光ディスクドライブ３２からメディア情報を受信し、例えばメインメモリに格納する（ステップＳ２１９）。メディア情報については、サーバ５からストラテジデータを取得するような処理を実施することを表す専用のコードが含まれる場合もある。  
【００９２】
また、データ書込部３１１は、ユーザに対して記録条件等（記録速度、サーバ５からストラテジデータを取得するような処理を実施するか否かの指示（実施、不実施、自動的に実施などの設定を含む）など）の入力を促し、ユーザから記録条件等の入力を受け付ける（ステップＳ２２１）。  
【００９３】
そして、データ書込部３１１は、サーバ５からストラテジデータを取得するか判断する（ステップＳ２２３）。例えば、ステップＳ２２１でユーザから指示された場合、ステップＳ２１９で上で述べたような専用のコードを受信した場合、ＰＣ３がネットワーク１に接続していることを確認できた場合などに、サーバ５からストラテジデータを取得すると判断する。それ以外の場合には、端子Ａを介して図１１の処理に移行する。  
【００９４】
サーバ５からストラテジデータを取得する場合には、データ書込部３１１は、測定指示を光ディスクドライブ３２の測定処理部３２１に対して出力する（ステップＳ２２５）。光ディスクドライブ３２の測定処理部３２１は、データ書込部３１１から測定指示を受信し（ステップＳ２２７）、光ディスクドライブ３２における温度測定を実施する（ステップＳ２２９）。例えば光ディスクドライブ３２における所定位置のセンサから温度の値を取得する。そして、測定処理部３２１は、測定結果等（例えば、基準値データ格納部３２４が設けられている場合や光ディスク７の基準値データ格納領域７１から基準値データを読み取った場合には基準値データを含む場合がある）をＰＣ本体３１のデータ書込部３１１に出力する（ステップＳ２３１）。データ書込部３１１の記録用設定情報取得設定部３１１１は、光ディスクドライブ３２から測定結果等を受信し、例えばメインメモリ等の記憶装置に格納する（ステップＳ２３３）。処理は端子Ｆを介して図２５の処理に移行する。  
【００９５】
図２５の処理の説明に移行して、記録用設定情報取得設定部３１１１は、基準値データを例えば基準値データファイル３１５から読み出す（ステップＳ２３５）。光ディスクドライブ３２から基準値データを受信した場合には、ステップＳ２３５は省略される。そして、基準値データと測定結果とからストラテジデータの更新の必要性を判断する（ステップＳ２３７）。例えば、基準値と当該基準値からの許容範囲を規定する上限値（例えば＋α％又は［ｍＷ］）及び下限値（例えば−β％又は［ｍＷ］）とを用いて、測定結果が許容範囲内に含まれているかを判断する。基準値が無く、単に許容範囲を規定する上限値及び下限値を基に、測定結果が許容範囲内に含まれているかを判断するようにしても良い。また、例えば許容範囲を規定すると共に、許容範囲外についても範囲を規定して、測定結果が、例えば許容範囲外の第１範囲や第２範囲のいずれに属するかを判断するようにしても良い。さらに、α又はβのいずれかが０の場合もある。  
【００９６】
そして、測定結果が、許容範囲内であってストラテジデータを更新する必要がない場合には（ステップＳ２３９：Ｎｏルート）、端子Ａを介して図１１の処理に移行する。一方、測定結果が許容範囲外となってストラテジデータの更新が必要である場合には（ステップＳ２３９：Ｙｅｓルート）、記録用設定情報取得設定部３１１１は、ストラテジデータを保持するサーバ５のＵＲＬを、例えばＵＲＬ管理ファイル３１３から読み出す（ステップＳ２４１）。なお、サーバ５のＵＲＬは、ＰＣ本体３１で管理する場合もあれば、光ディスクドライブ３２のメモリに格納されており、例えばメディア情報と共に光ディスクドライブ３２から受信する場合もある。  
【００９７】
その後、記録用設定情報取得設定部３１１１は、ステップＳ２１１で取得したドライブＩＤ、ステップＳ２１９で取得したメディアＩＤ、ステップＳ２２１で取得した記録速度及びステップＳ２３３で取得した測定結果（又は基準値からの乖離度、許容範囲外において測定結果の属する範囲（例えば上限値を超えているか又は下限値を下回っているのか等））を含むストラテジデータ要求を、ネットワーク１を介してステップＳ２４１で取得したＵＲＬ宛（サーバ５）に送信する（ステップＳ２４３）。なお、サーバ５の利用が会員制などである場合には、ログインのための処理を実施した後にステップＳ２４３を実施する。  
【００９８】
サーバ５は、ＰＣ３からドライブＩＤ、メディアＩＤ、記録速度及び測定結果を含むストラテジ要求を受信すると（ステップＳ２４５）、受信したドライブＩＤ、メディアＩＤ、記録速度及び測定結果でストラテジデータ格納部５１を検索して該当する全てのストラテジデータを読み出し、要求元のＰＣ３へ送信する（ステップＳ２４７）。ＰＣ３におけるデータ書込部３１１の記録用設定情報取得設定部３１１１は、サーバ５から、該当するストラテジデータを受信し、例えばハードディスクドライブなどに一旦格納する（ステップＳ２４９）。処理は端子Ｃを介して図１０の処理に移行する。  
【００９９】
温度によって記録特性が変化することは知られているため、温度が許容範囲外であれば、その温度に応じたストラテジデータを取得して、設定することによって適切なデータ記録を行うことができるようになる。  
【０１００】
［実施の形態６］  本実施の形態に係るシステム概要図は、図１３に示したものと同様である。なお、本実施の形態では、メディアＩＤ管理ファイル３１８を用いてアクセス履歴管理ファイル３１７については用いない。  
【０１０１】
次に、図２６及び図２７を用いて本実施の形態に係るシステムの動作を説明する。まず、例えばＰＣ３のユーザの指示に応じて、データ書込部３１１が起動される（ステップＳ２５１）。また、ユーザは、光ディスクドライブ３２に、今回データ記録を行う光ディスクを挿入するなどして、光ディスクドライブ３２は当該光ディスクをスピンドルモータ等にセットする（ステップＳ２５３）。  
【０１０２】
そして、ＰＣ本体３１のデータ書込部３１１は、ドライブＩＤ要求を光ディスクドライブ３２に出力する（ステップＳ２５５）。これに対して、光ディスクドライブ３２は、データ書込部３１１からドライブＩＤ要求を受信し（ステップＳ２５７）、例えば光ディスクドライブ３２のメモリに格納されているドライブＩＤ（装置ＩＤ）を読み出して、データ書込部３１１に出力する（ステップＳ２５９）。データ書込部３１１は、光ディスクドライブ３２からドライブＩＤを受信し、例えばメインメモリに格納する（ステップＳ２６１）。なお、ＯＳ（Operating System）等によって既にＰＣ３の構成データとして取得されているデータが存在する場合には、ステップＳ２５５乃至Ｓ２６１の代わりに、データ書込部３１１は、当該データを用いるようにしても良い。  
【０１０３】
さらに、データ書込部３１１は、光ディスクドライブ３２にメディア情報取得要求を出力する（ステップＳ２６３）。光ディスクドライブ３２は、メディア情報取得要求を受信し（ステップＳ２６５）、ステップＳ２５３でセットされた光ディスクからメディアＩＤ等のメディア情報を読み出し、データ書込部３１１に出力する（ステップＳ２６７）。データ書込部３１１は、光ディスクドライブ３２からメディア情報を受信し、例えばメインメモリに格納する（ステップＳ２６９）。メディア情報については、サーバ５からストラテジデータを取得するような処理を実施することを表す専用のコードが含まれる場合もある。  
【０１０４】
また、データ書込部３１１は、ユーザに対して記録条件等（記録速度、サーバ５からストラテジデータを取得するような処理を実施するか否かの指示（実施、不実施、自動的に実施などの設定を含む）など）の入力を促し、ユーザから記録条件等の入力を受け付ける（ステップＳ２７１）。  
【０１０５】
そして、データ書込部３１１は、サーバ５からストラテジデータを取得するか判断する（ステップＳ２７３）。例えば、ステップＳ２７１でユーザから指示された場合、ステップＳ２６９で上で述べたような専用のコードを受信した場合、ＰＣ３がネットワーク１に接続していることを確認できた場合などに、サーバ５からストラテジデータを取得すると判断する。それ以外の場合には、端子Ａを介して図１１の処理に移行する。  
【０１０６】
サーバ５からストラテジデータを取得する場合には、データ書込部３１１の記録用設定情報取得設定部３１１１は、メディアＩＤ管理ファイル３１８から、サーバ５からストラテジ取得済みの登録メディアＩＤリストを読み出す（ステップＳ２７５）。なお、サーバ５だけではなく、例えばデータ書込部３１１に対応するデータ書込プログラムをインストールする際に一緒に光ディスクドライブ３２に書き込まれたストラテジデータに係るメディアＩＤについても、メディアＩＤ管理ファイル３１８に登録されているものとする。そして、処理は端子Ｇを介して図２７に移行する。  
【０１０７】
図２７の処理の説明に移行して、記録用設定情報取得設定部３１１１は、ステップＳ２６９において取得されたメディアＩＤが、ステップＳ２７５で読み出された登録メディアＩＤリストに含まれているか判断する（ステップＳ２７７）。そして、ステップＳ２６９において取得されたメディアＩＤが未登録であるか判断する（ステップＳ２７９）。ステップＳ２６９において取得されたメディアＩＤが既登録である場合には、今回はストラテジデータを新たに取得する必要はないとして端子Ａを介して図１１の処理に移行する。図１１以降の処理については説明を省略する。  
【０１０８】
一方、ステップＳ２６９において取得されたメディアＩＤが未登録である場合には、記録用設定情報取得設定部３１１１は、ストラテジデータを保持するサーバ５のＵＲＬを、例えばＵＲＬ管理ファイル３１３から読み出す（ステップＳ２８１）。なお、サーバ５のＵＲＬは、ＰＣ本体３１で管理する場合もあれば、光ディスクドライブ３２のメモリに格納されており、例えばメディア情報と共に光ディスクドライブ３２から受信する場合もある。  
【０１０９】
その後、記録用設定情報取得設定部３１１１は、ステップＳ２６１で取得したドライブＩＤ、ステップＳ２６９で取得したメディアＩＤ及びステップＳ２７１で取得した記録速度を含むストラテジデータ要求を、ネットワーク１を介してステップＳ２８１で取得したＵＲＬ宛（サーバ５）に送信する（ステップＳ２８３）。なお、サーバ５の利用が会員制などである場合には、
ログインのための処理を実施した後にステップＳ２８３を実施する。  
【０１１０】
サーバ５は、ＰＣ３からドライブＩＤ、メディアＩＤ及び記録速度を含むストラテジ要求を受信すると（ステップＳ２８５）、受信したドライブＩＤ、メディアＩＤ及び記録速度でストラテジデータ格納部５１を検索して該当する全てのストラテジデータを読み出し、要求元のＰＣ３へ送信する（ステップＳ２８７）。なお、本実施の形態においては、図１７に示すようなデータ構造にてストラテジデータを保持している。ＰＣ３におけるデータ書込部３１１の記録用設定情報取得設定部３１１１は、サーバ５から、該当するストラテジデータを受信し、例えばハードディスクドライブなどに一旦格納する（ステップＳ２８９）。そして、今回ステップＳ２６９において取得されたメディアＩＤをメディアＩＤ管理ファイル３１８に登録する（ステップＳ２９１）。処理は端子Ｃを介して図１０の処理に移行する。図１０以降の説明については省略する。  
【０１１１】
このような処理を行うようにすれば、適切なストラテジデータを未取得の場合にのみサーバ５にアクセスすることになるため、データ記録を行ったことがある光ディスク７を用いていれば、サーバ５にアクセスすることなく迅速に適切なデータ記録が行われるようになる。  
【０１１２】
［実施の形態７］  図２８に本実施の形態におけるシステム概要図を示す。本実施の形態では、ＰＣ３は、ネットワーク１に接続されることを前提としていない。  
【０１１３】
ＰＣ本体３１は、本実施の形態の主要部であるデータ書込部３１１と、基準値データファイル３１５と、データ書込部３１１の基となるデータ書込プログラムをＰＣ３１本体にインストールする際に一緒にインストールされるストラテジデータ一式を格納するストラテジデータ格納部３３１とを有する。また、データ書込部３１１は、記録用設定情報取得設定部３１１１を含む。ストラテジデータ格納部３３１には、第１の実施の形態におけるストラテジデータ格納部５１に格納されているデータと同様のデータが格納されている。但し、ネットワーク１に接続されていないので最新のデータに更新されることはない。  
【０１１４】
光ディスクドライブ３２は、データ記録機能及びデータ再生機能などの主要機能の他に、ストラテジデータを外部から取得するか否かを判断するための材料となる測定を実施する測定処理部３２１と、データ記録機能で用いられる記録用設定情報を格納する記録用設定情報格納部３２３と、ＰＣ本体３１のデータ書込部３１１における記録用設定情報取得設定部３１１１からの指示に応じて記録用設定情報格納部３２３に記録用設定情報を格納する処理を実施する記録用設定情報書込部３２２とを有する。  
【０１１５】
このようなシステムにおいては、第１の実施の形態における処理フローのうち図９の代わりに図２９を実施する。従って、記録用設定情報取得設定部３１１１は、基準値データファイル３１５から基準値データを読み出す（ステップＳ３０１）。光ディスクドライブ３２から基準値データを受信した場合には、ステップＳ３０１は省略される。  
【０１１６】
そして、記録用設定情報取得設定部３１１１は、基準値データと測定結果とからストラテジデータの更新の必要性を判断する（ステップＳ３０３）。例えば、基準値と当該基準値からの許容範囲を規定する上限値（例えば＋α％又は［ｍＷ］）及び下限値（例えば−β％又は［ｍＷ］）とを用いて、測定結果が許容範囲内に含まれているかを判断する。基準値が無く、単に許容範囲を規定する上限値及び下限値を基に、測定結果が許容範囲内に含まれているかを判断するようにしても良い。また、例えば許容範囲を規定すると共に、許容範囲外についても範囲を規定して、測定結果が、例えば許容範囲外の第１範囲や第２範囲のいずれに属するかを判断するようにしても良い。さらに、α又はβのいずれかが０の場合もある。  
【０１１７】
そして、測定結果が、許容範囲内であってストラテジデータを更新する必要がない場合には（ステップＳ３０５：Ｎｏルート）、端子Ａを介して図１１の処理に移行する。一方、測定結果が許容範囲外となってストラテジデータの更新が必要である場合には（ステップＳ３０５：Ｙｅｓルート）、記録用設定情報取得設定部３１１１は、ドライブＩＤ、メディアＩＤ、記録速度及び測定結果（又は基準値からの差又は乖離度、許容範囲外において測定結果の属する範囲（例えば上限値を超えているか又は下限値を下回っているのか等））を含む検索条件によってストラテジデータ格納部３３１を検索して、それらに対応するストラテジデータを読み出す（ステップＳ３０７）。処理は端子Ｃを介して図１０の処理に移行する。  
【０１１８】
このような処理を実施することによってネットワーク１に接続されないような環境においても適切なストラテジデータを設定してデータ記録を実施することができるようになる。  
【０１１９】
［実施の形態８］  第１の実施の形態では、測定結果についての判断を行うのはＰＣ本体３１側であったが、測定自体は光ディスクドライブ３２において行われるので、基準値データを光ディスクドライブ３２に保持しておくか又は光ディスク７の基準値データ格納領域７１に保持しておけば、光ディスクドライブ３２において測定結果についての判断を行うようにしても問題ない。  
【０１２０】
このような場合のシステム概要図を図３０に示す。図１に示したシステム概要図との差は、基準値データファイル３１５の代わりに光ディスクドライブ３２に基準値データ格納部３２４を設け、新たに判断処理部３２５を光ディスクドライブ３２に設けるようにした点である。  
【０１２１】
以下、図３１及び図３２を用いて、図３０に示したシステムの動作を説明する。まず、例えばＰＣ３のユーザの指示に応じて、データ書込部３１１が起動される（ステップＳ３３１）。また、ユーザは、光ディスクドライブ３２に、今回データ記録を行う光ディスクを挿入するなどして、光ディスクドライブ３２は当該光ディスクをスピンドルモータ等にセットする（ステップＳ３３３）。  
【０１２２】
そして、ＰＣ本体３１のデータ書込部３１１は、ドライブＩＤ要求を光ディスクドライブ３２に出力する（ステップＳ３３５）。これに対して、光ディスクドライブ３２は、データ書込部３１１からドライブＩＤ要求を受信し（ステップＳ３３７）、例えば光ディスクドライブ３２のメモリに格納されているドライブＩＤ（装置ＩＤ）を読み出して、データ書込部３１１に出力する（ステップＳ３３９）。データ書込部３１１は、光ディスクドライブ３２からドライブＩＤを受信し、例えばメインメモリに格納する（ステップＳ３４１）。なお、ＯＳ（Operating System）等によって既にＰＣ３の構成データとして取得されているデータが存在する場合には、ステップＳ３３５乃至Ｓ３４１の代わりに、データ書込部３１１は、当該データを用いるようにしても良い。  
【０１２３】
さらに、データ書込部３１１は、光ディスクドライブ３２にメディア情報取得要求を出力する（ステップＳ３４３）。光ディスクドライブ３２は、メディア情報取得要求を受信し（ステップＳ３４５）、ステップＳ３３３でセットされた光ディスクからメディアＩＤ等のメディア情報を読み出し、データ書込部３１１に出力する（ステップＳ３４７）。データ書込部３１１は、光ディスクドライブ３２からメディア情報を受信し、例えばメインメモリに格納する（ステップＳ３４９）。メディア情報については、サーバ５からストラテジデータを取得するような処理を実施することを表す専用のコードが含まれる場合もある。  
【０１２４】
また、データ書込部３１１は、ユーザに対して記録条件等（記録速度、サーバ５からストラテジデータを取得するような処理を実施するか否かの指示（実施、不実施、自動的に実施などの設定を含む）など）の入力を促し、ユーザから記録条件等の入力を受け付ける（ステップＳ３５１）。  
【０１２５】
そして、データ書込部３１１は、サーバ５からストラテジデータを取得するか判断する（ステップＳ３５３）。例えば、ステップＳ３５１でユーザから指示された場合、ステップＳ３４９で上で述べたような専用のコードを受信した場合、ＰＣ３がネットワーク１に接続していることを確認できた場合などに、サーバ５からストラテジデータを取得すると判断する。それ以外の場合には、端子Ａを介して図１１の処理に移行する。  
【０１２６】
サーバ５からストラテジデータを取得する場合には、データ書込部３１１は、測定指示を光ディスクドライブ３２の測定処理部３２１に対して出力する（ステップＳ３５５）。光ディスクドライブ３２の測定処理部３２１は、データ書込部３１１から測定指示を受信し（ステップＳ３５７）、測定処理を実施する（ステップＳ３５９）。本実施の形態に係る測定処理については、図８又は図１２に示したものと同様であるから、ここでは説明を省略する。但し、測定処理部３２１は、測定結果を判断処理部３２５に出力する。そして処理は端子Ｈ及びＪを介して図３２の処理に移行する。  
【０１２７】
図３２の処理の説明に移行して、判断処理部３２５は、基準値データ格納部３２４から基準値データを読み出す（ステップＳ３６１）。そして、基準値データと測定結果とからストラテジデータの更新の必要性を判断する（ステップＳ３６３）。例えば、基準値と当該基準値からの許容範囲を規定する上限値（例えば＋α％又は［ｍＷ］）及び下限値（例えば−β％又は［ｍＷ］）とを用いて、測定結果が許容範囲内に含まれているかを判断する。基準値が無く、単に許容範囲を規定する上限値及び下限値を基に、測定結果が許容範囲内に含まれているかを判断するようにしても良い。また、例えば許容範囲を規定すると共に、許容範囲外についても範囲を規定して、測定結果が、例えば許容範囲外の第１範囲や第２範囲のいずれに属するかを判断するようにしても良い。さらに、α又はβのいずれかが０の場合もある。  
【０１２８】
そして、判断処理部３２５は、測定結果とステップＳ３６３の判断結果をＰＣ本体３１のデータ書込部３１１に出力する（ステップＳ３６５）。ＰＣ本体３１のデータ書込部３１１における記録用設定情報取得設定部３１１１は、光ディスクドライブ３２から測定結果及び判断結果を受信する（ステップＳ３６７）。記録用設定情報取得設定部３１１１は、判断結果がストラテジデータの更新が必要であるということを示しているか判断し（ステップＳ３６９）、判断結果が更新が必要ないということを示している場合には、端子Ａを介して図１１の処理に移行する。一方、判断結果が更新の必要があると示している場合には、記録用設定情報取得設定部３１１１は、ストラテジデータを保持するサーバ５のＵＲＬを、例えばＵＲＬ管理ファイル３１３から読み出す（ステップＳ３７１）。なお、サーバ５のＵＲＬは、ＰＣ本体３１で管理する場合もあれば、光ディスクドライブ３２のメモリに格納されており、例えばメディア情報と共に光ディスクドライブ３２から受信する場合もある。  
【０１２９】
その後、記録用設定情報取得設定部３１１１は、ドライブＩＤ、メディアＩＤ、記録速度及び測定結果（又は基準値からの乖離度、許容範囲外において測定結果の属する範囲（例えば上限値を超えているか又は下限値を下回っているのか等））を含むストラテジデータ要求を、ネットワーク１を介して取得ＵＲＬ宛（サーバ５）に送信する（ステップＳ３７３）。なお、サーバ５の利用が会員制などである場合には、ログインのための処理を実施した後にステップＳ３７３を実施する。  
【０１３０】
サーバ５は、ＰＣ３からドライブＩＤ、メディアＩＤ、記録速度及び測定結果を含むストラテジ要求を受信すると（ステップＳ３７５）、受信したドライブＩＤ、メディアＩＤ、記録速度及び測定結果でストラテジデータ格納部５１を検索して該当する全てのストラテジデータを読み出し、要求元のＰＣ３へ送信する（ステップＳ３７７）。ＰＣ３におけるデータ書込部３１１の記録用設定情報取得設定部３１１１は、サーバ５から、該当するストラテジデータを受信し、例えばハードディスクドライブなどに一旦格納する（ステ
ップＳ３７９）。処理は端子Ｃを介して図１０の処理に移行する。  
【０１３１】
このような構成を採用することによって、データ書込部３１１の構成が単純化される。  
【０１３２】
以上本発明の実施の形態を説明したが、本発明はこれに限定されるものではない。例えば、各実施の形態に係る特徴を組み合わせて実施することも可能である。例えば、第８の実施の形態に係る特徴を第２の実施の形態に適用するようなことも可能である。  
【０１３３】
さらに、機能ブロック図は必ずしも実際のプログラムモジュールに対応しない場合もある。  
【０１３４】
また、測定処理を実施する場合においては、メディアＩＤの偽装を判別するような処理を併せて実施するようにしても良い。すなわち、特定のメディアＩＤに対応する真正な光ディスク７であれば生じないような測定結果（例えば反射率）を生じるか否かを判断する。例えば、真贋判定用の基準値及び許容範囲データを保持しておき、許容範囲外となった場合には、メディアＩＤが偽装されているとして、警告を発するようにしてもよい。警告を発した場合には、ユーザにデータ記録の中止を促すようにするが、ユーザが指示すれば標準のストラテジデータを用いてデータ記録を行うようにしても良い。  
【０１３５】
なお、ＰＣ３及びサーバ５は、例えばコンピュータ装置であって、図３３に示すように当該コンピュータ装置においては、メモリ２５０１（記憶部）とＣＰＵ２５０３（処理部）とハードディスク・ドライブ（ＨＤＤ）２５０５と表示装置２５０９に接続される表示制御部２５０７とリムーバブル・ディスク２５１１用のドライブ装置２５１３と入力装置２５１５とネットワークに接続するための通信制御部２５１７とがバス２５１９で接続されている。オペレーティング・システム（ＯＳ）及びＷｅｂブラウザを含むアプリケーション・プログラムは、ＨＤＤ２５０５に格納されており、ＣＰＵ２５０３により実行される際にはＨＤＤ２５０５からメモリ２５０１に読み出される。必要に応じてＣＰＵ２５０３は、表示制御部２５０７、通信制御部２５１７、ドライブ装置２５１３を制御して、必要な動作を行わせる。また、処理途中のデータについては、メモリ２５０１に格納され、必要があればＨＤＤ２５０５に格納される。このようなコンピュータは、上で述べたＣＰＵ２５０３、メモリ２５０１などのハードウエアとＯＳ及び必要なアプリケーション・プログラムとが有機的に協働することにより、上で述べたような各種機能を実現する。
【符号の説明】
【０１３６】
１  ネットワーク    ３  ＰＣ５  サーバ／アクセスサーバ７  光ディスク３１  ＰＣ本体    ３２  光ディスクドライブ５１  ストラテジデータ格納部７１  基準値データ格納領域  ３１１  データ書込部３１３  ＵＲＬ管理ファイル３１５  基準値データファイル３１７  アクセス履歴管理ファイル３１８  メディアＩＤ管理ファイル３１９  データ記録履歴管理ファイル３２１  測定処理部３２２  記録用設定情報書込部３２３  記録用設定情報格納部３２４  基準値データ格納部３２５  判断処理部３３１  ストラテジデータ格納部 
【図１】
2010061786.tif 000003
【図２】
2010061786.tif 000004
【図３】
2010061786.tif 000005
【図４】
2010061786.tif 000006
【図５】
2010061786.tif 000007
【図６】
2010061786.tif 000008
【図７】
2010061786.tif 000009
【図８】
2010061786.tif 000010
【図９】
2010061786.tif 000011
【図１０】
2010061786.tif 000012
【図１１】
2010061786.tif 000013
【図１２】
2010061786.tif 000014
【図１３】
2010061786.tif 000015
【図１４】
2010061786.tif 000016
【図１５】
2010061786.tif 000017
【図１６】
2010061786.tif 000018
【図１７】
2010061786.tif 000019
【図１８】
2010061786.tif 000020
【図１９】
2010061786.tif 000021
【図２０】
2010061786.tif 000022
【図２１】
2010061786.tif 000023
【図２２】
2010061786.tif 000024
【図２３】
2010061786.tif 000025
【図２４】
2010061786.tif 000026
【図２５】
2010061786.tif 000027
【図２６】
2010061786.tif 000028
【図２７】
2010061786.tif 000029
【図２８】
2010061786.tif 000030
【図２９】
2010061786.tif 000031
【図３０】
2010061786.tif 000032
【図３１】
2010061786.tif 000033
【図３２】
2010061786.tif 000034
【図３３】
2010061786.tif 000035